(57)【特許請求の範囲】
【請求項１】
ユーザに対して配信の対象となる複数のコンテンツを予め保持し、前記各コンテンツのうちの前記ユーザの選択に基づくコンテンツを該ユーザへ配信するコンテンツ配信システムであって、
ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力するサーバと、
前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力すると共に、前記音楽データを鑑賞用のほか、ユーザの好みに応じて着信メロディ用としても再生できる機能を有するユーザ端末とを備え、
前記加算頻度は、前記音楽データが前記着信メロディ用に設定されているか否かに応じて、異なる値に変化する構成になされていることを特徴とするコンテンツ配信システム。
【請求項２】
ユーザに対して配信の対象となる複数のコンテンツを予め保持し、前記各コンテンツのうちの前記ユーザの選択に基づくコンテンツを該ユーザへ配信するコンテンツ配信システムであって、
ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力するサーバと、
前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力すると共に、前記音楽データを鑑賞用のほか、ユーザの好みに応じて着信メロディ用としても再生できる機能を有するユーザ端末とを備え、
前記加算頻度は、前記音楽データが、前記着信メロディ用のみとして設定されているときは、第１の加算頻度に設定され、前記音楽データが、鑑賞用のみとして設定されているときは、第２の加算頻度に設定され、前記音楽データが、鑑賞用のほか、着信メロディ用としても設定されているときは、第３の加算頻度に設定される構成になされていることを特徴とするコンテンツ配信システム。
【請求項３】
前記制御用データは、
前記加算頻度を表す頻度情報を含み、
前記頻度情報は、
前記復号化された音楽データの配信を受ける前記ユーザに対する課金の金額に対応して変化することを特徴とする請求項１又は２記載のコンテンツ配信システム。
【請求項４】
前記ユーザ端末は、
前記多重化データを入力して該多重化データから前記制御用データを分離し、この後、該制御用データに基づいて前記多重化データから前記圧縮音楽データ及び圧縮音声データを分離する分離手段と、
前記圧縮音楽データ及び圧縮音声データから前記音楽データ及び音声データを復号化する復号化手段と、
乱数発生手段と、
前記乱数発生手段から発生した乱数と前記頻度情報とに基づいて、前記復号化された音楽データに前記復号化された音声データを加算する条件を満たすか否かを判定し、判定の結果、加算する条件を満たすときは、前記復号化された音楽データに前記復号化された音声データを加算する加算手段とを備えてなることを特徴とする請求項３記載のコンテンツ配信システム。
【請求項５】
前記圧縮音楽データ及び圧縮音声データは、
ＭＰ３（MPEG1 Audio layer iii）の規格に基づいて生成されていることを特徴とする請求項１、２又は４記載のコンテンツ配信システム。
【請求項６】
サーバが、ユーザ端末に対して配信の対象となる複数のコンテンツを予め保持し、前記各コンテンツのうちの前記ユーザ端末の選択に基づくコンテンツを該ユーザ端末へ配信するコンテンツ配信方法であって、
前記サーバが、ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力し、
前記ユーザ端末が、前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力すると共に、前記加算頻度を、前記音楽データが前記着信メロディ用に設定されているか否かに応じて、異なる値に変えることを特徴とするコンテンツ配信方法。
【請求項７】
サーバが、ユーザ端末に対して配信の対象となる複数のコンテンツを予め保持し、前記各コンテンツのうちの前記ユーザ端末の選択に基づくコンテンツを該ユーザ端末へ配信するコンテンツ配信方法であって、
前記サーバが、ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力し、
前記ユーザ端末が、前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力し、前記加算頻度を、前記音楽データが、前記着信メロディ用のみとして設定されているときは、第１の加算頻度に設定し、前記音楽データが、鑑賞用のみとして設定されているときは、第２の加算頻度に設定し、前記音楽データが、鑑賞用のほか、着信メロディ用としても設定されているときは、第３の加算頻度に設定することを特徴とするコンテンツ配信方法。
【請求項８】
前記制御用データは、
前記加算頻度を表す頻度情報を含み、
前記頻度情報は、
前記復号化された音楽データの配信を受ける前記ユーザに対する課金の金額に対応して変化することを特徴とする請求項６又は７記載のコンテンツ配信方法。
【請求項９】
乱数発生手段から発生した乱数と前記頻度情報とに基づいて、前記復号化された音楽データに前記復号化された音声データを加算する条件を満たすか否かを判定し、判定の結果、加算する条件を満たすときは、前記復号化された音楽データに前記復号化された音声データを加算することを特徴とする請求項８記載のコンテンツ配信方法。
【請求項１０】
前記圧縮音楽データ及び圧縮音声データは、
ＭＰ３（MPEG1 Audio layer iii）の規格に基づいて生成されていることを特徴とする請求項６又は７記載のコンテンツ配信方法。
【請求項１１】
コンピュータに請求項６乃至１０の何れか一に記載のコンテンツ配信方法を実施させるための配信制御プログラム。
【発明の詳細な説明】
【０００１】
【発明の属する技術分野】
この発明は、コンテンツ配信システム、該システムに用いられるコンテンツ配信方法、及び配信制御プログラムに係り、特に、端末を介してコンテンツの配信を受けるユーザに対して課金を行う場合などに用いて好適なコンテンツ配信システム、該システムに用いられるコンテンツ配信方法、及び配信制御プログラムに関する。
【０００２】
【従来の技術】
音楽データなどのコンテンツをＭＰ３（MPEG1 Audio layer iii）規格に基づいて圧縮して生成された圧縮音楽データ（以下、「音楽ＭＰ３データ」という）をサーバから携帯電話機などの無線携帯端末に配信し、同無線携帯端末で復号化して再生することができる状況になってきている。この音楽ＭＰ３データが復号された再生音は高品位の音質であるため、音楽データをユーザに配信するコンテンツ配信システムでは、同音楽ＭＰ３データが無線携帯端末にダウンロードされたときの費用の負担方法を確立することが重要である。
【０００３】
この種のコンテンツ配信システムは、従来では例えば図７に示すように、サーバ１と、関門局２と、無線基地局３と、携帯電話機１０とから構成され、同関門局２と同無線基地局３とが通信回線ＮＷを介して接続されている。サーバ１は、音楽データをＭＰ３規格に基づいて圧縮した音楽ＭＰ３データＡ、及びコマーシャル用の音声データをＭＰ３規格に基づいて圧縮したＣＭ音声ＭＰ３データＢを予め保持している。関門局２は、サーバ１を通信回線ＮＷに接続する。無線基地局３は、携帯電話機１０を通信回線ＮＷに無線接続する。携帯電話機１０は、サーバ１に保持されている音楽ＭＰ３データＡ及びＣＭ音声ＭＰ３データＢを、関門局２、通信回線ＮＷ、及び無線基地局３を介して無線信号Ｃとして受信し、ユーザに配信する。
【０００４】
図８は、図７中の携帯電話機１０の要部の構成を示すブロック図である。
この携帯電話機１０は、図８に示すように、アンテナ１１と、無線部１２と、ベースバンド処理部１３と、ＣＰＵ（中央処理装置）１４と、ＲＯＭ(Read Only Memory)１５と、ＲＡＭ(Random Access Memory)１６と、ＦＭ（Frequency Modulation）音源部１７と、スピーカ１８とから構成されている。無線部１２は、アンテナ１１を介して無線信号Ｃを送受信する。ベースバンド処理部１３は、無線信号Ｃをベースバンド伝送用の信号に変換処理する。ＣＰＵ１４は、予めＲＯＭ１５に書き込まれた制御プログラムに基づいて携帯電話機１０の動作を制御する。ＲＡＭ１６は、必要に応じて無線信号Ｃの内容を一時的に保持する。ＦＭ音源部１７は、例えば音源ＬＳＩ（Large Scale Integrated Circuit）などで構成され、無線信号Ｃが受信されたときに着信メロディ信号を生成してスピーカ１８へ送出すると共に、ＲＡＭ１６に保持されている無線信号Ｃの内容から音楽ＭＰ３データＡ及びＣＭ音声ＭＰ３データＢをダウンロードし、復号してスピーカ１８へ送出する。
【０００５】
このコンテンツ配信システムでは、ユーザの操作に基づいて音楽データの配信要求が携帯電話機１０から無線基地局３、通信回線ＮＷ、及び関門局２を介してサーバ１に送信される。そして、サーバ１に保持されている音楽ＭＰ３データＡ及びＣＭ音声ＭＰ３データＢは、関門局２、通信回線ＮＷ、及び無線基地局３を介して無線信号Ｃとして携帯電話機１０で受信される。携帯電話機１０では、無線信号Ｃが受信されたとき、同無線信号Ｃの内容がＲＡＭ１６に保持されると共に、ＦＭ音源部１７から着信メロディ信号がスピーカ１８へ送出され、同スピーカ１８から着信メロディが発生する。この後、ユーザの操作に基づき、ＲＡＭ１６に保持されている無線信号Ｃの内容から音楽ＭＰ３データＡ及びＣＭ音声ＭＰ３データＢがＦＭ音源部１７でダウンロードされて復号され、音楽データ及びＣＭ音声データがスピーカ１８へ送出される。そして、音楽データにＣＭ音声データが加算されてユーザに配信される。
【０００６】
【発明が解決しようとする課題】
しかしながら、上記従来のコンテンツ配信システムでは、次のような問題点があった。
すなわち、音楽データにＣＭ音声データが加算される頻度と音楽ＭＰ３データＡのダウンロードに掛かる料金との対応関係が確立していない。そのため、音楽データにＣＭ音声データを加算する頻度をダウンロードの料金に基づいて柔軟に変更することができないという問題があった。また、着信メロディは、ＦＭ音源部１７で生成されるので、内容が固定化され、ユーザの要望に応じて容易に変更できないという問題があった。
【０００７】
この発明は、上述の事情に鑑みてなされたもので、音楽データにＣＭ音声データが加算される頻度をダウンロードの料金に基づいて柔軟に変更できると共に、着信メロディをユーザの要望に応じて容易に変更できるコンテンツ配信システム、該システムに用いられるコンテンツ配信方法、及び配信制御プログラムを提供することを目的としている。
【０００８】
【課題を解決するための手段】
上記課題を解決するために、この発明の第１（請求項１記載）の構成は、ユーザに対して配信の対象となる複数のコンテンツを予め保持し、前記各コンテンツのうちの前記ユーザの選択に基づくコンテンツを該ユーザへ配信するコンテンツ配信システムに係り、ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力するサーバと、前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力すると共に、前記音楽データを鑑賞用のほか、ユーザの好みに応じて着信メロディ用としても再生できる機能を有するユーザ端末とを備え、前記加算頻度が、前記音楽データが前記着信メロディ用に設定されているか否かに応じて、異なる値に変化する構成になされていることを特徴としている。
【０００９】
この発明の第２（請求項２記載）の構成は、ユーザに対して配信の対象となる複数のコンテンツを予め保持し、前記各コンテンツのうちの前記ユーザの選択に基づくコンテンツを該ユーザへ配信するコンテンツ配信システムに係り、ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力するサーバと、前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力すると共に、前記音楽データを鑑賞用のほか、ユーザの好みに応じて着信メロディ用としても再生できる機能を有するユーザ端末とを備え、前記加算頻度は、前記音楽データが、前記着信メロディ用のみとして設定されているときは、第１の加算頻度に設定され、前記音楽データが、鑑賞用のみとして設定されているときは、第２の加算頻度に設定され、前記音楽データが、鑑賞用のほか、着信メロディ用としても設定されているときは、第３の加算頻度に設定される構成になされていることを特徴としている。
【００１０】
この発明の第３（請求項６記載）の構成は、サーバが、ユーザ端末に対して配信の対象となる複数のコンテンツを予め保持し、前記各コンテンツのうちの前記ユーザ端末の選択に基づくコンテンツを該ユーザ端末へ配信するコンテンツ配信方法に係り、前記サーバが、ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力し、前記ユーザ端末が、前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力すると共に、前記加算頻度を、前記音楽データが前記着信メロディ用に設定されているか否かに応じて、異なる値に変えることを特徴としている。
【００１１】
この発明の第４（請求項７記載）の構成は、サーバが、ユーザ端末に対して配信の対象となる複数のコンテンツを予め保持し、前記各コンテンツのうちの前記ユーザ端末の選択に基づくコンテンツを該ユーザ端末へ配信するコンテンツ配信方法に係り、前記サーバが、ユーザの鑑賞の対象となる音楽データを圧縮した圧縮音楽データ、ユーザに対するコマーシャル用の音声データを圧縮した圧縮音声データ、及び前記圧縮音楽データと前記圧縮音声データとを制御するための制御用データを少なくとも含む前記各コンテンツを予め保持し、前記各コンテンツを時分割多重化して多重化データを出力し、前記ユーザ端末が、前記多重化データをダウンロードして該多重化データから前記制御用データを分離し、この後、該制御用データに基づいて前記多重化データから前記圧縮音楽データ及び圧縮音声データを分離し、前記圧縮音楽データ及び圧縮音声データから前記音楽データ及び音声データを復号化し、前記制御用データに基づいた加算頻度で前記復号化された音楽データに前記復号化された音声データを加算して出力し、前記加算頻度を、前記音楽データが、前記着信メロディ用のみとして設定されているときは、第１の加算頻度に設定し、前記音楽データが、鑑賞用のみとして設定されているときは、第２の加算頻度に設定し、前記音楽データが、鑑賞用のほか、着信メロディ用としても設定されているときは、第３の加算頻度に設定することを特徴としている。
【００２３】
【発明の実施の形態】
以下、図面を参照して、この発明の実施の形態について説明する。
図１は、この発明の実施形態であるコンテンツ配信システムを示す構成図である。
この形態のコンテンツ配信システムは、同図に示すように、サーバ２０と、関門局３１と、無線基地局３２と、携帯電話機４０とから構成され、同関門局３１と同無線基地局３２とが通信回線ＮＷを介して接続されている。サーバ２０は、メモリ２１と、メモリ２２と、セレクタ２３と、メモリ２４と、セレクタ２５と、メモリ２６と、セレクタ２７と、マルチプレクサ２８とから構成されている。
【００２４】
メモリ２１は、ＭＰＥＧ２（Moving Picture Experts Group２）の標準勧告：ＩＳＯ／ＩＥＣ（国際標準化機構／国際電気標準会議）１３８１８−１で定義されているＰＡＴ（Program Association Table ）及びＰＭＴ（Program Map Table ）を、パケット化した制御用データＤ（コンテンツ）として予め保持している。ＰＡＴは、各プログラム番号ごとに、そのプログラムを構成するパケットの情報を伝送するＰＭＴのＰＩＤ（Packet ID Identification、パケット識別情報）を示すものであり、同ＰＡＴ自体のＰＩＤとしては、固定的にＰＩＤ＝“０”が割り当てられている。ＰＭＴは、各プログラム番号ごとに、そのプログラムを構成する映像、音声、付加データなどのストリームが伝送されるパケットのＰＩＤを示すものであり、同ＰＭＴ自体のＰＩＤは、ＰＡＴで指定されている。メモリ２２は、ユーザの鑑賞の対象となる音楽データを圧縮してパケット化した複数種類の音楽ＭＰ３データ（すなわち、圧縮音楽データ）をコンテンツとして予め保持している。セレクタ２３は、メモリ２２に保持されている複数種類の音楽ＭＰ３データのうちの１つの音楽ＭＰ３データＥを携帯電話機４０のユーザの指示に基づいて選択して出力する。
【００２５】
メモリ２４は、パケット化した複数種類の文字データ（例えば、コマーシャルの内容などを表す）、及びユーザに対するコマーシャル用の複数種類のコマーシャル用の音声データを圧縮してパケット化したＣＭ音声ＭＰ３データ（すなわち、圧縮音声データ）をコンテンツとして予め保持している。これらの文字データは、最大文字数が予め定められ、最大文字数に達しない場合は、ヌル文字が追加されてデータ量が常に一定になるように調整されている。セレクタ２５は、メモリ２４に保持されている複数種類の文字データうちの１つの文字データＦをサーバ２０の運用者の指示に基づいて選択して出力すると共に、メモリ２４に保持されている複数種類のＣＭ音声ＭＰ３データうちの１つのＣＭ音声ＭＰ３データＧをサーバ２０の運用者の指示に基づいて選択して出力する。
【００２６】
メモリ２６は、パケット化した複数種類の文字データ（例えば、音楽データにＣＭ音声データが加算される頻度を表す）を予め保持すると共に、複数種類のＣＭ音声ＭＰ３頻度テーブルをパケット化した制御用データ（コンテンツ）として予め保持している。これらのＣＭ音声ＭＰ３頻度テーブルは、ユーザに対する課金の金額に応じて異なる内容となっている。また、これらの文字データも、最大文字数が予め定められ、最大文字数に達しない場合は、ヌル文字が追加されてデータ量が常に一定になるように調整されている。セレクタ２７は、メモリ２６に保持されている複数種類の文字データうちの１つの文字データＨを、音楽データの供給を受けるユーザに対する課金の金額に基づいて選択して出力すると共に、同メモリ２６に保持されている複数種類のＣＭ音声ＭＰ３頻度テーブルうちの１つのＣＭ音声ＭＰ３頻度テーブルを同ユーザに対する課金の金額に基づいて選択して制御用データＪとして出力する。
【００２７】
この場合、例えば、課金の金額が高いときには、音楽データにＣＭ音声データを加算する頻度が低くなるように設定されたＣＭ音声ＭＰ３頻度テーブルが選択され、課金の金額が低いときには、加算する頻度が高くなるように設定されたＣＭ音声ＭＰ３頻度テーブルが選択されるようになっている。ＣＭ音声ＭＰ３頻度テーブルの中の値は、状況に応じて変化するが、値のみが変化するので、同テーブルのデータ量に変化は生じない。このため、制御用データＪのデータ量は、常に一定となる。
【００２８】
マルチプレクサ２８は、制御用データＤ、音楽ＭＰ３データＥ、文字データＦ、ＣＭ音声ＭＰ３データＧ、文字データＨ、及び制御用データＪを時分割多重化し、多重化データＫを生成する。これらの制御用データＤ、音楽ＭＰ３データＥ、文字データＦ、ＣＭ音声ＭＰ３データＧ、文字データＨ、及び制御用データＪの各ＰＩＤは、固定化されて運用され、ＰＭＴの内容が常に同じ内容で運用される。また、音楽ＭＰ３データＥ、文字データＦ、ＣＭ音声ＭＰ３データＧ、文字データＨ、及び制御用データＪのデータレートは、一定に設定されているので、これらの各データが選択されるタイミングが固定的になり、セレクタ２３，２５，２７の図示しない制御機構が簡単なものとなる。
【００２９】
関門局３１は、サーバ２０を通信回線ＮＷに接続する。無線基地局３２は、携帯電話機４０を通信回線ＮＷに無線接続する。
【００３０】
携帯電話機４０は、多重化データＫを、関門局３１、通信回線ＮＷ、及び無線基地局３２を介して無線信号Ｌとしてダウンロードし、同多重化データＫから制御用データＤ，Ｊを分離し、この後、同制御用データＤに基づいて同多重化データＫから音楽ＭＰ３データＥ及びＣＭ音声ＭＰ３データＧを分離する。さらに、携帯電話機４０は、音楽ＭＰ３データＥ及びＣＭ音声ＭＰ３データＧから音楽データ及びコマーシャル用音声データを復号化すると共に、制御用データＪに基づいた頻度で前記復号化された音楽データに前記復号化されたコマーシャル用音声データを加算してユーザに配信する。
【００３１】
図２は、図１中の携帯電話機４０の要部を示す構成図である。
この携帯電話機４０は、図２に示すように、デマルチプレクサ４１と、文字表示サブシステム４２と、ＦＩＦＯ（First In First Out）４３と、ＦＩＦＯ４４と、デマルチプレクサ制御部４５と、セレクタ４６と、ＭＰ３デコーダ４７と、ＦＩＦＯ４８と、アップサンプラ４９と、ＦＩＦＯ５０と、セレクタ５１と、加算器５２と、セレクタ制御部６０と、ＣＰＵ７１と、ＲＯＭ７２とから構成されている。
【００３２】
デマルチプレクサ４１は、多重化データＫを入力して同多重化データＫから制御用データＤ，Ｊを分離し、この後、同制御用データＤに基づいて同多重化データＫから文字データＦ，Ｈ、音楽ＭＰ３データＥ及びＣＭ音声ＭＰ３データＧを分離する。文字表示サブシステム４２は、文字データＦ，Ｈを入力して表示する。ＦＩＦＯ４３は、伝送された音楽ＭＰ３データＥを入力し、時間軸変換を行って同音楽ＭＰ３データＥの伝送速度を平滑化して音楽ＭＰ３データＱを出力する。ＦＩＦＯ４４は、伝送されたＣＭ音声ＭＰ３データＧを入力し、時間軸変換を行って同ＣＭ音声ＭＰ３データＧの伝送速度を平滑化してＣＭ音声ＭＰ３データＳを出力する。デマルチプレクサ制御部４５は、制御用データＤに基づいて多重化データＫのパケットに乗っている各データを判定し、この判定結果に基づいて制御信号Ｐを出力してデマルチプレクサ４１を制御する。さらに、デマルチプレクサ制御部４５は、制御用データＪのＣＭ音声ＭＰ３頻度テーブルからＣＭ音声頻度情報Ｒを分離してセレクタ制御部６０に供給する。
【００３３】
セレクタ４６は、音楽ＭＰ３データＱ又はＣＭ音声ＭＰ３データＳを制御信号Ｕに基づいて選択して出力する。ＭＰ３デコーダ４７は、セレクタ４６から出力された音楽ＭＰ３データＱ又はＣＭ音声ＭＰ３データＳを復号化する。ＦＩＦＯ４８は、復号化された音楽ＭＰ３データＱに対して時間軸変換を行い、同音楽ＭＰ３データＱを伸張して音楽データＸを生成して出力する。アップサンプラ４９は、復号化されたＣＭ音声ＭＰ３データＳのサンプリング周波数を音楽ＭＰ３データＱのサンプリング周波数に合わせることにより、ＣＭ音声ＭＰ３データＷを生成して出力する。ＦＩＦＯ５０は、ＣＭ音声ＭＰ３データＷに対して時間軸変換を行い、同ＣＭ音声ＭＰ３データＷを伸張してＣＭ音声データＹを生成して出力する。セレクタ５１は、制御信号ＶがノンアクティブモードのときにＣＭ音声データＹを選択し、制御信号Ｖがアクティブモードのときにグランド側を選択する。加算器５２は、セレクタ５１でＣＭ音声データＹが選択されないとき、音楽データＸを出力信号ａとして出力し、同セレクタ５１で同ＣＭ音声データＹが選択されたとき、同音楽データＸに同ＣＭ音声データＹを加算して出力信号ａとして出力する。加算器５２の出力側には、図示しないスピーカなどで構成された再生手段が接続されている。
【００３４】
セレクタ制御部６０は、多重化データＫに含まれる音楽データＥを着信メロディとして使用するか否かを示す着信メロディ設定情報Ｔと、同多重化データＫの着信状態（すなわち、着信したか否か）を示す着信情報Ｚとに基づき、ＣＭ音声頻度情報Ｒから次の（１）〜（３）の場合の頻度情報ｂ，ｃ，ｄを選択し、これらの頻度情報ｂ，ｃ，ｄに対応して制御信号Ｕ，Ｖを生成して出力する。これらの着信メロディ設定情報Ｔ及び着信情報Ｚは、ユーザの走査に基づいてＣＰＵ７１から送出される。
（１）頻度情報ｂは、多重化データＫに含まれる音楽データＥを着信メロディとして使用する場合に、音楽データＸにＣＭ音声データＹを加算する頻度を表す。
（２）頻度情報ｃは、多重化データＫに含まれる音楽データＥを着信メロディとして使用し、かつ音楽として再生する場合に、音楽データＸにＣＭ音声データＹを加算する頻度を表す。
（３）頻度情報ｄは、多重化データＫの中の音楽データＥを着信メロディとして使用せず、かつ音楽として再生する場合に、音楽データＸにＣＭ音声データＹを加算する頻度を表す。
【００３５】
ＣＰＵ７１は、携帯電話機４０全体を制御する。ＲＯＭ７２は、ＣＰＵ７１を動作させるための配信制御プログラムが記録されている。
【００３６】
図３は、図２中のセレクタ制御部６０の構成図である。
このセレクタ制御部６０は、図３に示すように、判定部６１と、セレクタ６２と、“０”判定部６３と、乱数発生部６４と、コンパレータ６５と、ＯＲ回路６６と、タイミング発生部６７と、ＯＲ回路６８とから構成されている。
判定部６１は、着信メロディ設定情報Ｔと着信情報Ｚとに基づいて制御信号ｅを生成して出力する。セレクタ６２は、ＣＭ音声頻度情報Ｒに含まれる上記（１）〜（３）の場合の頻度情報ｂ，ｃ，ｄを制御信号ｅに基づいて選択して頻度情報ｆとして出力する。
【００３７】
この場合、着信情報Ｚが多重化データＫの着信を示すとき、セレクタ６２は、ＣＭ音声頻度情報Ｒ中の「着信時」の頻度情報ｂを選択する。着信情報Ｚが多重化データＫの着信を示さず、かつ着信メロディ設定情報Ｔが着信メロディに設定されている（すなわち、多重化データＫの中の音楽データＥを着信メロディとして使用する）場合、セレクタ６２は、ＣＭ音声頻度情報Ｒ中の「着信メロディ設定時」の頻度情報ｃを選択する。また、着信情報Ｚが多重化データＫの着信を示さず、かつ着信メロディ設定情報Ｔが着信メロディに設定されていない（すなわち、多重化データＫの中の音楽データＥを着信メロディとして使用しない）場合、セレクタ６２は、ＣＭ音声頻度情報Ｒ中の「着信メロディ非設定時」の頻度情報ｄを選択する。
【００３８】
“０”判定部６３は、頻度情報ｆを入力して同頻度情報ｆが“０”を示すときにアクティブモードの判定信号ｈを出力する。乱数発生部６４は、乱数ｇを発生する。乱数ｇは均一の頻度で発生した数字であり、“０”から“ｎ”までの乱数ｇの各数字が１／（ｎ＋１）の確率で出現する。頻度情報ｆよりも大きい乱数ｇは、（ｎ−ｆ）／（ｎ＋１）の確率で出現する（なお、この実施形態では、（ｎ＋１）回に１回の頻度で加算されると仮定すると、頻度情報ｆは、ｆ＝０である。）。コンパレータ６５は、乱数ｇと頻度情報ｆとを比較し、同乱数ｇが同頻度情報ｆ以下のとき、ノンアクティブモードの判定信号ｊを出力し、同乱数ｇが同頻度情報ｆよりも大きいとき、アクティブモードの判定信号ｊを出力する。ＯＲ回路６６は、判定信号ｈ又は判定信号ｊがアクティブモードのとき、アクティブモードの制御信号Ｖを出力し、判定信号ｈと判定信号ｊとが共にノンアクティブモードのとき、ノンアクティブモードの制御信号Ｖを出力する。タイミング発生部６７は、音楽データＸにＣＭ音声データＹを加算する場合における制御信号Ｕのタイミングを制御するためのタイミング信号ｋを生成して出力する。制御信号Ｕの周期は、１ＡＡＵ（Audio Access Unit ）に設定されている。ＯＲ回路６８は、制御信号Ｖがアクティブモードのとき（すなわち、音楽データＸにＣＭ音声データＹを加算しない場合）、アクティブモードの制御信号Ｕを出力し、同制御信号Ｖがノンアクティブモードのとき（すなわち、音楽データＸにＣＭ音声データＹを加算する場合）、タイミング信号ｋに同期した制御信号Ｕを出力する。
【００３９】
このセレクタ制御部６０では、着信メロディ設定情報Ｔと着信情報Ｚとが判定部６１に入力され、同判定部６１から制御信号ｅが出力される。ＣＭ音声頻度情報Ｒに含まれる頻度情報ｂ，ｃ，ｄは、セレクタ６２で制御信号ｅに基づいて選択され、同セレクタ６２から頻度情報ｆとして出力される。頻度情報ｆは、“０”判定部６３に入力され、同頻度情報ｆが“０”を示すときに同“０”判定部６３からアクティブモードの判定信号ｈが出力される。また、頻度情報ｆは、コンパレータ６５に入力されて乱数ｇと比較され、乱数ｇが頻度情報ｆ以下のとき、同コンパレータ６５からノンアクティブモードの判定信号ｊが出力され、乱数ｇが頻度情報ｆよりも大きいとき、同コンパレータ６５からアクティブモードの判定信号ｊが出力される。
【００４０】
判定信号ｈ及び判定信号ｊは、ＯＲ回路６６に入力され、同判定信号ｈ又は判定信号ｊの少なくとも一方がアクティブモードのとき、ＯＲ回路６６からアクティブモードの制御信号Ｖが出力される。判定信号ｈと判定信号ｊとが共にノンアクティブモードのとき、ＯＲ回路６６からノンアクティブモードの制御信号Ｖが出力される。制御信号Ｖは、ＯＲ回路６８に入力され、同制御信号Ｖがアクティブモードのとき（すなわち、音楽データＸにＣＭ音声データＹを加算しない場合）、同ＯＲ回路６８からアクティブモードの制御信号Ｕが出力され、同制御信号Ｖがノンアクティブモードのとき（すなわち、音楽データＸにＣＭ音声データＹを加算する場合）、同ＯＲ回路６８からタイミング信号ｋに同期した制御信号Ｕが出力される。頻度情報ｆが大きくなると、音楽データＸにＣＭ音声データＹが加算される頻度が高くなる。
【００４１】
図４は、頻度情報ｂ，ｃ，ｄの内容の一例を示す図、図５及び図６が図２の携帯電話機４０の動作を説明するためのタイムチャートである。
これらの図を参照して、この形態のコンテンツ配信システムに用いられる音楽データ配信方法の処理内容について説明する。
メモリ２１には、ＰＡＴ及びＰＭＴが制御用データＤとして予め保持されている。メモリ２２には、各音楽ＭＰ３データが予め保持されている。メモリ２４には、各文字データ及び各ＣＭ音声ＭＰ３データが予め保持されている。各ＣＭ音声ＭＰ３データのサンプリング周波数は、各音楽ＭＰ３データのサンプリング周波数の例えば１／２に設定されている。メモリ２６には、各文字データが予め保持されると共に、各ＣＭ音声ＭＰ３頻度テーブルが制御用データとして予め保持されている。
【００４２】
メモリ２２に保持されている各音楽ＭＰ３データは、携帯電話機４０のユーザの無線信号を介した指示に基づいてセレクタ２３で選択され、同各音楽ＭＰ３データのうちの１つが音楽ＭＰ３データＥとして出力される。メモリ２４に保持されている各文字データ及び各ＣＭ音声ＭＰ３データは、サーバ２０の運用者の指示に基づいてセレクタ２５で選択され、同各文字データうちの１つが文字データＦとして出力されると共に、同各ＣＭ音声ＭＰ３データのうちの１つがＣＭ音声ＭＰ３データＧとして出力される。メモリ２６に保持されている各文字データ及び各ＣＭ音声ＭＰ３頻度テーブルは、音楽データの供給を受けるユーザに対する課金の金額に基づいてセレクタ２７で選択され、同各文字データうちの１つが文字データＨとして出力されると共に、同各ＣＭ音声ＭＰ３頻度テーブルのうちの１つが制御用データＪとして出力される。
【００４３】
制御用データＤ、音楽ＭＰ３データＥ、文字データＦ、ＣＭ音声ＭＰ３データＧ、文字データＨ、及び制御用データＪは、マルチプレクサ２８で時分割多重化され、多重化データＫが生成される（多重化データ生成処理）。この時分割多重化は、ＭＰＥＧ２の例えばトランスポートストリーム方式により行われる。多重化データＫは、関門局３１、通信回線ＮＷ、及び無線基地局３２を介して無線信号Ｌとして携帯電話機４０に送信される。
【００４４】
携帯電話機４０では、図５に示すように、無線信号Ｌとして受信された多重化データＫがデマルチプレクサ４１に入力され、同多重化データＫから制御用データＤ，Ｊが分離される。制御用データＤ，Ｊは、デマルチプレクサ制御部４５に送出される。デマルチプレクサ制御部４５では、制御用データＤに基づいて多重化データＫのどのパケットにそれぞれの情報が乗っているかが判定され、この判定結果に基づいて制御信号Ｐが出力される。制御信号Ｐに基づいてデマルチプレクサ４１が制御される。
この場合、始めに多重化データＫから制御用データＤのＰＡＴが分離される。
このＰＡＴは、デマルチプレクサ制御部４５に送出され、ＰＭＴが乗っているパケットが同ＰＡＴに基づいて特定される。そして、多重化データＫから、文字データＦ，Ｈ、音楽ＭＰ３データＥ、及びＣＭ音声ＭＰ３データＧが分離される（分離処理）。さらに、デマルチプレクサ制御部４５では、制御用データＪのＣＭ音声ＭＰ３頻度テーブルからＣＭ音声頻度情報Ｒが分離される。ＣＭ音声頻度情報Ｒは、セレクタ制御部６０に送出される。
【００４５】
文字データＦ，Ｈは、文字表示サブシステム４２に入力されて表示される。パケット化されて伝送された音楽ＭＰ３データＥは、ＦＩＦＯ４３に書き込まれ、時間軸変換されて伝送速度が平滑化され、同ＦＩＦＯ４３から音楽ＭＰ３データＱが読み出される。パケット化されて伝送されたＣＭ音声ＭＰ３データＧは、ＦＩＦＯ４４に書き込まれ、時間軸変換されて伝送速度が平滑化され、同ＦＩＦＯ４４からＣＭ音声ＭＰ３データＳが読み出される。音楽ＭＰ３データＱ又はＣＭ音声ＭＰ３データＳは、セレクタ４６で制御信号Ｕに基づいて選択されて出力される。この場合、例えば、図４に示す頻度情報ｂ，ｃ，ｄが着信メロディ設定情報Ｔと着信情報Ｚとに基づいて選択され、同頻度情報ｂ，ｃ，ｄに対応して制御信号Ｕが出力される。
【００４６】
図４において、ダウンロードの料金が例えば１００円のときのように、音楽データＸにＣＭ音声データＹを加算しない場合、制御信号Ｕがアクティブモードになり、ＦＩＦＯ４３から読み出された音楽ＭＰ３データＱのみがセレクタ４６で選択されてＭＰ３デコーダ４７へ送出される。音楽ＭＰ３データＱは、ＭＰ３デコーダ４７で復号化され（復号化処理）、同復号化処理における処理遅延時間Ｔｄの後にＦＩＦＯ４８に書き込まれて伸張され、同ＦＩＦＯ４８から音楽データＸが読み出される。このとき、制御信号Ｖもアクティブモードになっているので、セレクタ５１はグランド側を選択し、音楽データＸのみが加算器５２から出力信号ａとして出力され、ユーザに配信される（配信処理）。出力信号ａとして出力された音楽データＸは、頻度情報ｂ，ｃに応じて着信メロディに使用される。
【００４７】
また、図４において、ダウンロードの料金が例えば無料のときのように、音楽データＸにＣＭ音声データＹを加算する場合、図６に示すように、タイミング信号ｋに同期した制御信号Ｕが出力され、ＦＩＦＯ４３から読み出された音楽ＭＰ３データＱとＦＩＦＯ４４から読み出されたＣＭ音声ＭＰ３データＳとがセレクタ４６で同制御信号Ｕに基づいて交互に選択されてＭＰ３デコーダ４７へ送出される。音楽ＭＰ３データＱは、ＭＰ３デコーダ４７で復号化され（復号化処理）、同復号化処理の処理遅延時間Ｔｄの後にＦＩＦＯ４８に書き込まれて伸張され、同ＦＩＦＯ４８から音楽データＸが読み出される。
【００４８】
また、ＣＭ音声ＭＰ３データＳは、ＭＰ３デコーダ４７で復号化され（復号化処理）、同復号化処理の処理遅延時間Ｔｄの後にアップサンプラ４９で音楽ＭＰ３データＱと同じサンプリング周波数に変換され、同アップサンプラ４９からＣＭ音声ＭＰ３データＷが出力される。ＣＭ音声ＭＰ３データＷは、ＦＩＦＯ５０で伸張され、同ＦＩＦＯ５０からＣＭ音声データＹが読み出される。このとき、制御信号Ｖが頻度情報ｆに対応した頻度でノンアクティブモードになるので、ＣＭ音声データＹが同頻度情報ｆに対応した頻度でセレクタ５１で選択される。そして、加算器５２で音楽データＸにＣＭ音声データＹが頻度情報ｆに対応した頻度で加算され、同加算器５２から出力信号ａがユーザに配信される（配信処理）。出力信号ａに含まれる音楽データＸは、頻度情報ｂ，ｃに応じて着信メロディに使用される。
【００４９】
以上のように、この実施形態では、コンパレータ６５で乱数ｇと頻度情報ｆとが比較され、乱数ｇが頻度情報ｆ以下のとき、ノンアクティブモードの判定信号ｊが出力され、乱数ｇが頻度情報ｆよりも大きいとき、アクティブモードの判定信号ｊが出力されるので、ユーザに対する課金の金額が高いときには、音楽データにＣＭ音声データを加算する頻度が低くなり、課金の金額が低いときには、加算する頻度が高くなる。このため、音楽データＸにＣＭ音声データＹが加算される頻度がダウンロードの料金（すなわち、課金の金額）に基づいて柔軟に変更される。さらに、ユーザは、所望の音楽データを着信メロディ（呼出音）として使用できると共に、ダウンロードの料金の金額を設定することによってＣＭ音声の出現頻度を選択できる。また、音楽ＭＰ３データＥ、文字データＦ、ＣＭ音声ＭＰ３データＧ、文字データＨ、及び制御用データＪのデータレートは、一定に設定されているので、これらの各データが選択されるタイミングが固定的になり、セレクタ２３，２５，２７の制御が簡単になる。
【００５０】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、実施形態では、パケットの多重化は、ＭＰＥＧ２のトランスポートストリーム方式により行う例を説明したが、このパケットの多重化は、ＭＰＥＧ２のプログラムストリーム（ＰＳ）方式によって行っても良い。この場合、制御用データとして、パック・ヘッダ、システム・ヘッダ、及びプログラム・ストリーム・マップが用いられる。また、ＣＭ音声ＭＰ３頻度テーブルは、プログラム・ストリーム・マップの中でユーザ・プライベート・ディスクリプタ（すなわち、標準勧告：ＩＳＯ／ＩＥＣ１３８１８−１で定義されていない記述子）としてパケット多重化される。また、プログラムストリーム方式では、音楽ＭＰ３データ、ＣＭ音声ＭＰ３データ、及び文字データの各データのパケットは、ＰＥＳ（Packetized Elementary Stream_packet ）パケットと呼ばれ、これらの各ＰＥＳパケットが多重化される。また、実施形態では、コンテンツを音楽ＭＰ３データやＣＭ音声ＭＰ３データとして説明したが、携帯電話機４０にビデオデータを再生する機能を設ければ、同コンテンツを鑑賞用のビデオデータやコマーシャル用のビデオデータとしても、上記実施形態とほぼ同様の作用、効果が得られる。また、圧縮音楽データ及び圧縮音声データは、ＭＰ３規格の他、例えば、ＡＡＣ（Advanced Audio Coding ）、ＡＴＲＡＣ（Adaptive Transform Acoustic Coding）、ＴｗｉｎＶＱ（Transform-domain Weighted Interleave Vector Quantization）などの規格に基づいて生成されたものでも良い。
【００５１】
【発明の効果】
以上説明したように、この発明の構成によれば、鑑賞用データにコマーシャルデータを加算する頻度が制御され、ユーザに対する課金の金額が高いときには、鑑賞用データにコマーシャルデータを加算する頻度が低くなり、課金の金額が低いときには、加算する頻度が高くなるように設定できる。このため、鑑賞用データにコマーシャルデータが加算される頻度をダウンロードの料金に基づいて柔軟に変更できる。さらに、ユーザは、課金の金額を設定することによってコマーシャルデータの出現頻度を選択できる。加えて、加算頻度は、前記音楽データが前記着信メロディ用に設定されているか否かに応じて、異なる値に変更できるので、使い勝手が向上する。
【図面の簡単な説明】
【図１】この発明の実施形態であるコンテンツ配信システムを示す構成図である。
【図２】図１中の携帯電話機４０の要部を示す構成図である。
【図３】図２中のセレクタ制御部６０の構成図である。
【図４】頻度情報ｂ，ｃ，ｄの内容を示す図である。
【図５】図２の携帯電話機４０の動作を説明するためのタイムチャートである。
【図６】図２の携帯電話機４０の動作を説明するためのタイムチャートである。
【図７】従来のコンテンツ配信システムを示す構成図である。
【図８】図７中の携帯電話機１０の要部の構成を示すブロック図である。
【符号の説明】
２０      サーバ
４０      携帯電話機（ユーザ端末）
４１      デマルチプレクサ（分離手段）
４７      ＭＰ３デコーダ（復号化手段）
５２      加算器（加算手段）
６０      セレクタ制御部（加算手段）
７２      ＲＯＭ
【図１】
0004670204.tif 000002
【図２】
0004670204.tif 000003
【図３】
0004670204.tif 000004
【図４】
0004670204.tif 000005
【図５】
0004670204.tif 000006
【図６】
0004670204.tif 000007
【図７】
0004670204.tif 000008
【図８】
0004670204.tif 000009